(57)【要約】【課題】  外部とのバリア機能を確保すると共に、限られた狭いスペースであっても外部端子を効率的に多重接続することができ、かつ、外部端子との接続作業性を向上する。【解決手段】  外部端子が接続される端子設置座１２の設置面が端子の配列方向Ｄに対して所定の傾斜角度をもって並ぶように配置した端子台１１を備え、端子設置座１２を覆うように端子カバー１３が配設され、端子カバー１３は、端子台１１に対して直線的にスライドするように係合し、かつ、そのスライド方向Ｓを端子設置座１２の設置面に対して略直交する方向とする。【選択図】図３
2014235998.tif 000002
【特許請求の範囲】
【請求項１】
複数の端子設置座と、外部端子が接続される設置面が端子の配列方向に対して所定の傾斜角度をもって並ぶように前記複数の端子設置座が配置された端子台と、を備えた接続端子部品であって、
前記端子台には前記端子設置座を覆うように端子カバーが配設され、
その端子カバーは、前記端子設置座の前記設置面に対して略直交する方向にスライド可能に前記端子台と係合する、ことを特徴とする接続端子部品。
【請求項２】
前記端子設置座の前記設置面は、前記端子の配列方向に対して、３０°から６０°までの範囲の傾斜角度を有する、ことを特徴とする請求項１記載の接続端子部品。
【請求項３】
前記端子カバーは、外部端子の接続時にその外部端子が挿入される挿入口を有すると共にスライド方向に沿って延設され相互に対向する一対の可撓係止部を備え、
その一対の可撓係止部の少なくとも一方に設けられた係止用凹部が、前記挿入口の開口面積が最大となる上側係止位置と、前記挿入口の開口面積が最小となる下側係止位置の少なくとも二つの係止位置において、前記端子台の係止用凸部に係合することにより係止する、ことを特徴とする請求項１または２記載の接続端子部品。
【請求項４】
前記端子設置座にネジ孔が設けられ、そのネジ孔に取付ネジが螺合して前記端子設置座と可動座金部材との間に前記外部端子を挟持することにより、前記外部端子との接続が可能であって、
前記可動座金部材は、前記取付ネジを挿通装着する略平板状の座金片部と、その座金片部に連結されて前記端子台を前記端子カバーのスライド方向に沿って貫通する杆状の案内片部とからなり、前記座金片部を前記端子設置座に対して離近移動可能に保持されていて、
前記案内片部には、前記座金片部が前記端子設置座から離間する方向に前記可動座金部材を付勢する圧縮コイルバネが外嵌していて、
前記端子台には、前記案内片部が貫通すると共に、前記圧縮コイルバネの一端が内部に保持されるバネ退避用凹部が形成されている、ことを特徴とする請求項１から３いずれか１項に記載の接続端子部品。
【請求項５】
請求項１から４のいずれか１項に記載の接続端子部品を含む、ことを特徴とする電子機器。
【発明の詳細な説明】
【技術分野】
【０００１】  本発明は、外部とのバリア機能を有しつつ、多導体（複数の外部電線や接続用金具等を含む複数の外部端子と同義、以下同じ）を狭いスペースに効率よく接続するための接続端子部品及びその接続端子部品を含む電子機器に関するものである。
【背景技術】
【０００２】  従来の多導体の接続端子部品においては、図７に示すような構成が知られていた（例えば、特許文献１参照）。【０００３】  図７においては、上段側端子カバー２００は、透明或いは半透明体な合成樹脂製であって、上段端子台部２０２と上面と略同じ大きさの長方形状のカバー本体２００Ａを有している状態を示している。【０００４】  このカバー本体２００Ａの面部には、その長手方向に所定の間隔をおいて四つの円形孔２１０が形成してあり、また、カバー本体２００Ａの両縁部の後端部にはヒンジピン２２０が突設してあり、更に、カバー本体２００Ａの前縁部には左右一対の係止部２３０が突設してある。【０００５】  そして、上段側端子カバー２００は、そのヒンジピン２２０をヒンジ用突起部１１０の支承孔１１０Ａに挿入して端子台本体１００に取付けてあり、この上段側端子カバー２００をヒンジピン２２０を支点にして回動させて係止部２３０を係止溝部１１１に係脱可能に係止することにより、上段側端子カバー２００で上段端子台部２０２の端子解放面２０２Ａを覆うようになる。この場合、上段側端子カバー２００の円形孔２１０が上段端子台部２０２の各端子装着部２０７の接続端子２０８の頂上に位置するようになる。【０００６】  また、別の接続端子部品の一例では、図８（ａ）、（ｂ）に示すような構成が知られていた（例えば、特許文献２参照）。【０００７】  図８（ａ）に示すように、端子台３０１の傾斜面を有する複数の外部端子設置座３０２が列設され、その外部端子設置座３０２の傾斜面に取付ネジ３０４を有する外部端子が取り付けられている構成が知られている。【０００８】  図８（ｂ）は、図８（ａ）のＺ−Ｚ断面図であるが、取付ネジ３０４を締め付けることにより、端子金具３０３が外部端子設置座３０２に押さえつけれられ、端子３０３ａ、取付ネジ３０４及び端子金具３０３が電気的に接続される。【０００９】  すなわち、取付ネジ３０４と端子金具３０３との間に、例えば丸孔が開口された丸型端子やＹ字形状のＹ型端子などの外部端子が挟装されるとその外部端子と端子３０３ａが電気的に接続される。
【先行技術文献】
【特許文献】
【００１０】
【特許文献１】  特開２００６−２６０８２９号公報
【特許文献２】  昭６１−２８２６７号公開実用新案公報
【発明の概要】
【発明が解決しようとする課題】
【００１１】  しかしながら、上述のような接続端子部品を用いてより限られた狭いスペースにおいて外部端子を多重接続しようとすると、さまざまな課題が生じる。【００１２】  例えば、図７の開示技術によれば、端子台に階段状に端子設置座を形成する必要が生じその分高さ方向の長さが列数に応じ順次大きくなるため、高さ寸法の増大を生じる。【００１３】  また、端子カバーを閉じた状態において外部端子の接続も可能であるが、そのためには高さ寸法が予め取付ネジをゆるめた状態でも端子カバー内で収まるようにする必要があるため、その分高さ寸法の増大を生じる要因となる。【００１４】  一方、図８（ａ）、（ｂ）の開示技術によれば、端子設置座が既に外部に露出した構成であるため、外部端子を接続した状態でも外部とのバリア機能（作業中の感電防止や外部との絶縁性を確保できる機能、以下同じ）を発揮することができない。【００１５】  本発明は、上記事由に鑑みて為されたものであり、その目的は、外部とのバリア機能を発揮しつつ、より限られた狭いスペースにおいて外部端子を効率的に多重接続することのできる接続端子部品及びその接続端子部品を含む電子機器を提供することにある。
【課題を解決するための手段】
【００１６】  本発明にかかわる接続端子部品によれば、複数の端子設置座と、外部端子が接続される設置面が端子の配列方向に対して所定の傾斜角度をもって並ぶように複数の端子設置座が配置された端子台と、を備えた接続端子部品であって、端子台には端子設置座を覆うように端子カバーが配設され、その端子カバーは、端子設置座の設置面に対して略直交する方向にスライド可能に端子台と係合することを特徴としている。【００１７】  これにより、限られた狭いスペースにおいて効率的に外部端子の多重接続を実現できる。【００１８】  例えば、端子の配列方向に対して所定の傾斜角度で外部端子が接続されるため、それらの外部端子は相互に略平行となる位置関係となり、相互に隣接する外部端子同士が触れ合うことを有効に防止できる。【００１９】  また、同時に外部端子同士間に端子カバーが介在するため、外部端子同士間の絶縁距離（沿面距離や空間距離）を大きくできる。【００２０】  すなわち、相互に隣接する外部端子間の絶縁性を十分に確保できる。【００２１】  また、本発明にかかわる接続端子部品によれば、前記構成に加え、端子設置座の設置面は、端子の配列方向に対して、３０°から６０°までの範囲の傾斜角度を有することが好ましい。【００２２】  例えば、端子設置座の設置面が、端子の配列方向に対して、傾斜角度が３０°よりも小さい場合には、外部端子間の間隔が狭まり、その分だけ端子カバーの肉厚を薄くしなければならなくなり機械的な強度を十分に確保できなくなる。【００２３】  一方、端子設置座が、端子の配列方向に対して、傾斜角度が６０°よりも大きい場合には、端子カバーの挿入口の開口面積を拡大する方向へスライドさせるための移動空間（外部空間）が十分に確保できないため、端子の配列方向における端子設置座の間隔を大きくする必要が生じ、その分だけ多重接続が困難となる。【００２４】  さらに、端子カバーの外形サイズをより小さくする必要も生じ、相互に隣接する外部端子間の絶縁性を十分に確保できなくなる。【００２５】  また、本発明にかかわる接続端子部品によれば、前記構成に加え、端子カバーは、外部端子の接続時にその外部端子が挿入される挿入口を有すると共にスライド方向に沿って延設され相互に対向する一対の可撓係止部を備え、その一対の可撓係止部の少なくとも一方に設けられた係止用凹部が、挿入口の開口面積が最大となる上側係止位置と、挿入口の開口面積が最小となる下側係止位置の少なくとも二つの係止位置において、端子台の係止用凸部に係合することにより係止することが好ましい。【００２６】  これにより、端子カバーが少なくとも上下の２箇所における係止位置において係止（規制）されるため、外部端子の接続時に端子カバーを適宜スライド（昇降）させて外部導体の接続作業を行うことができる。【００２７】  例えば、外部端子を接続する前には、端子カバーを上昇方向へスライドさせ上側係止位置にて係止された状態において外部端子の挿入作業を容易に行える。【００２８】  一方、接続作業が完了した時には、端子カバーを下降方向へスライドさせ下側係止位置にて係止された状態にできるため、コンパクト化（全体容積を最小化することと同義、以下同じ）が図れる。【００２９】  すなわち、非動作状態（外部端子と内部端子との間が電気的に接続されず非通電可能状態であることと同義、以下同じ）での外部端子の接続作業簡易化と、動作状態（外部端子と内部端子との間が電気的に接続され通電可能状態であることと同義、以下同じ）におけるコンパクト化が、両立できる。【００３０】  また、本発明にかかわる接続端子部品によれば、前記構成に加え、端子設置座にネジ孔が設けられ、そのネジ孔に取付ネジが螺合して端子設置座と可動座金部材との間に外部端子を挟持することにより、外部端子との接続が可能であって、可動座金部材は、取付ネジを挿通装着する略平板状の座金片部と、その座金片部に連結されて端子台を端子カバーのスライド方向に沿って貫通する杆状の案内片部とからなり、座金片部を端子設置座に対して離近移動可能に保持されていて、案内片部には、座金片部が端子設置座から離間する方向に可動座金部材を付勢する圧縮コイルバネが外嵌していて、端子台には、案内片部が貫通すると共に、圧縮コイルバネの一端が内部に保持されるバネ退避用凹部が形成されていることが好ましい。【００３１】  これにより、外部端子を接続するために設けられた取付ネジが座金片部により端子設置座から離間する方向に付勢されるため、端子設置座の設置面と直交する方向に螺合する取付ネジが自重により傾くことが少なくなる。【００３２】  すなわち、取付ネジが傾くことが少なくなり、ゆるめたり締め付けたりする作業性が向上する。【００３３】  また、本発明にかかわる接続端子部品を含む電子機器によれば、前記いずれかの構成の接続端子部品を含むことを特徴としている。【００３４】  これにより、限られた狭いスペースにおいて効率的に外部端子の多重接続を実現できる。すなわち、電子機器の全体容積（奥行き、縦幅、及び横幅の積）を過剰に大きくすることなく効率的な多重接続が可能となる。
【発明の効果】
【００３５】  本発明による接続端子部品及びその接続端子部品を含む電子機器によれば、外部とのバリア機能を発揮しつつ、より限られた狭いスペースにおいて外部端子を効率的に多重接続することができる。
【図面の簡単な説明】
【００３６】
【図１】（ａ）本発明の実施の形態における接続端子部品を上方斜めから見た全体斜視図、（ｂ）本発明における実施の形態における接続端子部品を下方斜めから見た全体斜視図
【図２】本発明の実施の形態における接続端子部品を右側面から見た右側面図
【図３】図２の端子カバー近傍の破線で囲んだ矩形領域Ａ内の部分拡大図
【図４】（ａ）本発明の実施の形態における接続端子部品の正面図、（ｂ）図４（ａ）のＢ−Ｂ断面の一部拡大図
【図５】（ａ）可動座金部材の斜視図、（ｂ）図４（ａ）のＢ−Ｂ断面の一部拡大図を用い、取付ネジの締め付け前後の状態を説明する図
【図６】（ａ）本発明の実施の形態における接続端子部品を上面側に配置した電子機器の全体斜視図、（ｂ）電子機器の一方の側面図、（ｃ）電子機器の下面（バックプレーンへの装着側の面）を表す図
【図７】従来の多導体の接続端子部品の構成図
【図８】従来の他の多導体の接続端子部品の構成図
【発明を実施するための形態】
【００３７】  以下、本発明の実施の形態を説明するために、図面を参照して説明する。
【００３８】  図１（ａ）は、本発明の実施の形態における接続端子部品を上方斜めから見た全体斜視図で、図１（ｂ）は、本発明における実施の形態における接続端子部品を下方斜めから見た全体斜視図で、図２は、本発明の実施の形態における接続端子部品を右側面から見た右側面図で、図３は、図２の端子カバー近傍の破線で囲んだ矩形領域Ａ内の部分拡大図で、図４（ａ）は、本発明の実施の形態における接続端子部品の正面図で、図４（ｂ）は、図４（ａ）のＢ−Ｂ断面の一部拡大図で、図５（ａ）は、可動座金部材の斜視図で、図５（ｂ）は、図４（ａ）のＢ−Ｂ断面の一部拡大図を用い、取付ネジの締め付け前後の状態を説明する図で、図６（ａ）は本発明の実施の形態における接続端子部品を上面側に配置した電子機器の全体斜視図で、図６（ｂ）は電子機器の一方の側面図で、図６（ｃ）は、電子機器の下面（バックプレーンへの装着側の面）を表す図である。
【００３９】  まず、図１（ａ）、（ｂ）における接続端子部品１０は、本体部分を構成し適切な絶縁性を確保できる樹脂素材、例えば、ＰＣ（ポリカーボネイト）、変性ＰＰＥ（変形ポリフェニレンエーテル）、ＰＦ（フェノール）、ＰＢＴ（ポリブチレンテレフタレート）などの熱可塑性樹脂素材によって成型された端子台１１と、端子台１１に圧入により一体的に挿設された複数のリン青銅板からなるコンタクト１２ｂ（図４（ｂ）参照）と、それら複数のコンタクト１２ｂのそれぞれに対応して図示しない経路を介して電気的接続が可能に形成された金属製の端子設置座１２（図４（ｂ）参照）を斜め上方から覆うように端子カバー１３が配設されている。
【００４０】  ここで、以下の説明を容易にするため、接続端子部品１０の幅方向をＸ方向、奥行き方向をＹ方向、長手方向と一致する高さ方向（上下方向）をＺ方向とし、Ｘ方向、Ｙ方向およびＺ方向は、相互に直交する方向と定義する。
【００４１】  また、図１（ｂ）で示したように、これら端子カバー１３は、斜め下方側（外部端子１４の挿入方向側）から見て櫛形状をしており、直角に下方へ折れ曲がった両端部には、端子カバー１３のスライド方向に延設され、相互に対向する一対の可撓係止部１３ａを有している。
【００４２】  なお、図１（ａ）、（ｂ）での水平方向（Ｘ方向）において２個の外部端子１４のみは、近接して高さ方向（Ｚ方向）に並べられているが、その他の外部端子１４やそれぞれの外部端子１４の圧着部に圧接して電気的に接続される外部のリード線、及びその末端等は全て図示は省略されている。
【００４３】  また、このときの外部のリード線としては、例えばその他端が外部の他の電子機器に接続されるリード線であっても、同じ接続端子部品１０における他の外部端子１４に接続されるリード線のいずれであっても構わない。
【００４４】  また、図１（ｂ）から明かなように、水平方向（Ｘ方向）に３個の外部端子１４が並べられた場合は、それらが１つのグループとしてまとめられ、下方斜め側（外部端子１４の挿入方向側）から見ると櫛形状の１つの端子カバー１３がそれぞれの外部端子１４のグループ毎に覆設されている。
【００４５】  そして、上下方向（Ｚ方向）に合計８段（８グループ）の外部端子１４が複数のコンタクト１２ｂに対応して各々結線されているため、総結線数は２４個となっている。
【００４６】  また、最上段における端子カバー１３は、外部端子１４の挿入口１３ｂの開口面積が最大となる上側係止位置（図３における上側の端子カバー１３の係止位置）で係止されている態様が示され、２段目から最下段の８段目までの端子カバー１３は、挿入口１３ｂの開口面積が最小となる下側係止位置（図３における下側の端子カバー１３の係止位置）で係止されている態様が示されている。
【００４７】  次に、図２を参照して、端子設置座１２（図４（ｂ）参照）の端子の配列方向Ｄを矢印で示して説明する。
【００４８】  ここで、端子の配列方向Ｄとは、略均等間隔で配列される端子設置座１２が一直線上に配列される方向と同義であって、本実施の形態の場合であればＺ方向に沿って配列されるため、Ｚ方向と一致する方向である。
【００４９】  また、本図では図示されていないが、複数のコンタクト１２ｂ（図４（ｂ）参照）はＸＺ平面上で略同じ位置に設置される端子設置座１２のそれぞれに対応して端子台１１の内部の図示されない経路を介して電気的導通可能に接続されている。
【００５０】  さらに、前述したように、複数のコンタクト１２ｂは端子台１１に対して圧入により挿設されているが、端子台１１の長手方向が上下方向（Ｚ方向）と一致する方向に置くと、コンタクト１２ｂの端子台１１に対する挿設方向（コンタクト１２ｂの長手方向と同義、以下同じ）は左右方向（Ｙ方向）と一致する。
【００５１】  そして、この状態においては複数のコンタクト１２ｂの配列方向も上下方向（Ｚ方向）と一致することになる。
【００５２】  すなわち、コンタクト１２ｂの挿設方向が、端子の配列方向Ｄと直交する位置関係となるため、複数のコンタクト１２ｂも端子の配列方向Ｄに沿って略等間隔に挿設されていると言い換えてもよい。
【００５３】  次に、図３を参照して、端子カバー１３は、端子台１１に対して直線的にスライドするように係合していること及び少なくとも二つの係止位置において係止することについて説明する。
【００５４】  前述したように、端子カバー１３は、挿入口１３ｂ側から見た場合に直角に下方へ折れ曲がった両端部に直線的なスライド方向Ｓに沿って延設され相互に対向する一対の可撓係止部１３ａを備えている。
【００５５】  また、一対の可撓係止部１３ａは端子台１１に形成された可撓係止部用凹部１１ｃに嵌り込みスライド可能に係止されている。
【００５６】  ここで、上側に位置する端子カバー１３は、スライド方向Ｓ上において挿入口１３ｂの開口面積（端子カバー１３と端子台１１により区画された開口部の面積、すなわち外部端子１４を挿入可能な略ドーム形状の開口部の面積と同義、以下同じ）が最大となる上側係止位置において係止された状態を示している。
【００５７】  すなわち、端子カバー１３は、一対の可撓係止部１３ａの下方に位置する一対の係止用凹部１３ａｄの少なくとも一方が端子台１１の可撓係止部用凹部１１ｃに突設された係止用凸部１１ａに対して係合する構成を有している。
【００５８】  また、端子カバー１３は、挿入口１３ｂ側から見た場合に直角に下方へ折れ曲がった両端部に一対の可撓係止部１３ａと略平行に延設される長短一対のガイド部１３ｃも備えており、長短一対のガイド部１３ｃが長短一対のガイド用凹部１１ｄにスライド可能に嵌り込み、これにより端子カバー１３のスライド方向Ｓに対する倒れが規制されている。
【００５９】  一方、下側に位置する端子カバー１３は、スライド方向Ｓ上において挿入口１３ｂの開口面積が最小となる下側係止位置においてに係止された状態を示している。
【００６０】  すなわち、接続端子部品１０は、一対の可撓係止部１３ａの上方に位置する一対の係止用凹部１３ａｕの少なくとも一方が端子台１１の可撓係止部用凹部１１ｃに突設された係止用凸部１１ａに対して係合する構成を有している。
【００６１】  この状態では、長短一対のガイド部１３ｃの全長に亘るその全体が、長短一対のガイド用凹部１１ｄに嵌り込んでいる。
【００６２】  以上のように、接続端子部品１０は、上側係止位置と下側係止位置の少なくとも二つの係止位置において、一対の可撓係止部１３ａの一対の係止用凹部１３ａｕ又は一対の係止用凹部１３ａｄが端子台１１の係止用凸部１１ａに対して係合する構成を有している。
【００６３】  これにより、端子カバー１３は、少なくともスライド方向Ｓ上の２箇所に設定された係止位置において係止位置が規制されるため、外部端子１４の結線作業前後において端子カバー１３を適宜スライド方向Ｓに沿って直線的にスライドさせれば外部端子１４の接続作業（（図５（ｂ）参照、取付ネジ１５を端子設置座１２に螺合させることにより外部端子１４を固定する結線作業と同義、以下同じ）を行うことができる。
【００６４】  すなわち、外部端子１４（図示せず）を外部より挿入し接続する時には端子カバー１３を上方（上昇方向）へスライドさせて上側係止位置にて係止された状態において予め取付ネジ１５を緩めておいてから、外部導体である外部端子１４の挿入及び接続作業を行えばよい。
【００６５】  そして、接続作業が完了した時には端子カバー１３を下方（下降方向）へスライドさせて下側係止位置にて係止された状態にすればよい。
【００６６】  これにより、動作状態（接続端子部品１０のいずれかの端子が通電状態にある状態）におけるコンパクト化と、非動作状態（接続端子部品１０のいずれの端子も通電状態にない状態であって、結線作業を行うときの状態と同じ）での外部端子１４の接続作業簡易化を両立できる。
【００６７】  また、限られた狭いスペースにおいて効率的にＹ型端子や丸型端子などの外部端子１４の多重接続を実現できる。
【００６８】  例えば、端子の配列方向Ｄに対して所定の傾斜角度で外部端子１４が接続されるため、それらの外部端子１４は相互に略平行となる位置関係となるため、相互に隣接する外部端子１４同士が触れ合うことを有効に防止できる。
【００６９】  また、同時に外部端子１４同士間に端子カバー１３が介在するため、外部端子１４同士間の絶縁距離（沿面距離や空間距離）を大きくできる。
【００７０】  すなわち、Ｘ方向又はＹ方向のいずれにおいても相互に隣接する外部端子１４間の絶縁性を十分に確保できる。
【００７１】  次に、図４（ａ）と図４（ｂ）を参照して、端子カバー１３は端子設置座１２を覆うように配置され、そのスライド方向Ｓは端子設置座１２の設置面に対して略直交する方向であることを説明する。
【００７２】  まず、図４（ａ）で示したように、複数の端子設置座１２の端子の配列方向Ｄは、上下方向（Ｚ方向）と一致しており、ここでＢ−Ｂ断面とは右側列に位置する端子設置座１２や取付ネジ１５の略中央を通り端子の配列方向Ｄと平行な平面（ＹＺ平面）で切断した断面である。
【００７３】  次に、図４（ｂ）では、端子設置座１２の上面である設置面の拡がる方向を破線の矢印Ｈで示しているが、端子カバー１３の直線上に延びるスライド方向Ｓは、端子設置座１２の設置面の拡がる方向を示す矢印Ｈに対して略直交する方向である。
【００７４】  なお、この略直交するとは、端子カバー１３のスライド方向Ｓと端子設置座１２の設置面の拡がる方向を示す矢印Ｈが９０度（直角）±１０度の角度範囲で交わる関係にあることと定義する。
【００７５】  一方、図４（ｂ）は、端子カバー１３の挿入口１３ｂから外部端子１４が挿入される前の状態図でもあるが、取付ネジ１５が可動座金部材１６のネジ挿通孔１６ａｂ（図４（ａ）参照）に挿通され、さらに端子設置座１２のネジ孔１２ａ（図５（ｂ）参照）に螺合している。
【００７６】  このため、端子設置座１２の上面である設置面は方向を示す矢印Ｈに沿って拡がるが、可動座金部材１６の座金片部１６ａの下面に隆起する圧接突部１６ａｃと当接した状態となっている。
【００７７】  また、端子設置座１２の設置面は、複数の端子の配列方向Ｄに対して、３０°から６０°までの範囲の傾斜角度θを有することが好ましい。
【００７８】  次に、図５（ａ）と図５（ｂ）を参照して、端子設置座１２に設けられたネジ孔１２ａに螺合した取付ネジ１５が一旦ゆるめられて、端子設置座１２と可動座金部材１６の座金片部１６ａとの間において外部端子１４を挟持する状態について説明する。
【００７９】  まず、図５（ａ）に示すように、可動座金部材１６は、打ち抜いた金属板片を屈曲加工してなるものであり、略平板状の座金片部１６ａとその側部から杆状の案内片部１６ｂがが略直交するように連結形成された形態をなしている。
【００８０】  また、座金片部１６ａの中央には取付ネジ１５を挿通装着する丸孔形状のネジ挿通孔１６ａｂが貫設されている。
【００８１】  そして、座金片部１６ａの下面の、ネジ挿通孔１６ａｂの周囲には、外部端子１４を強く圧接することとなる圧接突部１６ａｃが３箇所において隆起している。
【００８２】  一方、案内片部１６ｂは、凹凸のない直杆状をなしており、座金片部１６ａの一辺の縁から座金片部１６ａと直交する方向に垂下しているため、この断面形状はＬ字形をしている。
【００８３】  次に、図５（ｂ）に示すように、上方に位置する取付ネジ１５は、締め付ける前の端子カバー１３の上部に到達するまで上昇した状態にある。
【００８４】  端子台１１には、可動座金部材１６の案内片部１６ｂが貫通すると共に、圧縮コイルバネ１７の一端（下端）が内部に保持されるバネ退避用凹部１１ｂが形成されている。
【００８５】  ここで、圧縮コイルバネ１７は案内片部１６ｂに外嵌され、その上端を座金片部１６ａとの屈曲接続部に、その下端をバネ退避用凹部１１ｂの底部に支持されて、座金片部１６ａがバネ退避用凹部１１ｂの底部から離間することとなる上方向に可動座金部材１６を付勢する。
【００８６】  このように、可動座金部材１６は、その案内片部１６ｂをバネ退避用凹部１１ｂの底部近くまで下降できるように端子台１１に昇降可能に保持されているため、案内片部１６ｂは、端子カバー１３のスライド方向Ｓに沿って貫通している。
【００８７】  これにより、その座金片部１６ａは端子設置座１２に対して離近移動可能に保持されている。
【００８８】  かかる保持状態では、座金片部１６ａのネジ挿通孔１６ａｂと端子設置座１２のネジ孔１２ａとが上下に対向している。
【００８９】  一方、下方に位置する取付ネジ１５は締め付け固定された後の状態であって、可動座金部材１６は、座金片部１６ａのネジ挿通孔１６ａｂに挿通装着された取付ネジ１５によってネジ孔１２ａに螺着されるため、可動座金部材１６が下降し座金片部１６ａの圧接突部１６ａｃが外部端子１４の挿入側先端部の上面に固く当接する。
【００９０】  これにより、外部端子１４の挿入側先端部の下面は端子設置座１２の設置面に強く押し付けられるため、外部端子１４は端子設置座１２を介してコンタクト１２ｂとの良好な電気的導通が可能となる。
【００９１】  そして、後述するように接続端子部品１０が電子機器２０（図６（ａ）〜（ｃ）参照）に組み込まれると、外部端子１４が電子機器２０の本体筐体２０ａに収容された電子回路基板等（図示せず）と電気的に接続されて所望の機能を発揮できる状態になる。
【００９２】  以上のように、外部端子１４を接続する場合には、図５（ｂ）で示すように、可動座金部材１６が上昇した状態で、外部端子１４を端子設置座１２の上面である設置面と座金片部１６ａの間に挿入する。
【００９３】  次いで、圧縮コイルバネ１７の付勢力に抗して可動座金部材１６を下降させて取付ネジ１５をネジ孔１２ａと螺合させることにより、外部端子１４を端子設置座１２の設置面と座金片部１６ａとで挟持する。
【００９４】  逆に、外部端子１４の接続を解除する場合には、端子カバー１３を上昇させて取付ネジ１５を緩めるだけでよい。
【００９５】  すなわち、取付ネジ１５をネジ孔１２ａからゆるめていくに従い、圧縮コイルバネ１７の付勢力によって可動座金部材１６が自動的に精度よく直線的に上昇するため、取付ネジ１５や可動座金部材１６を手動で持ち上げる必要がなく外部端子１４を円滑に抜き取ることができる。
【００９６】  このように本実施の形態にあっては、圧縮コイルバネ１７の下端がバネ退避用凹部１１ｂに内嵌されており、座金片部１６ａを端子台１１に近接させると、縮んだ圧縮コイルバネ１７がバネ退避用凹部１１ｂ内に退避することとなる。
【００９７】  また、圧縮コイルバネ１７の両端を、バネ退避用凹部１１ｂの底部と可動座金部材１６とによって支持しているため、圧縮コイルバネ１７をその付勢力に抗して長期間安定に保持できる。
【００９８】  また、バネ退避用凹部１１ｂは、絞り加工や成型加工等により簡単に形成され得るものであるから、可動座金部材１６にバネ退避用の構造を形成するよりも低廉に製造できるという利点もある。
【００９９】  また、圧縮コイルバネ１７の下端がバネ退避用凹部１１ｂの内部に保持されることとなるため、圧縮コイルバネ１７を端子台１１と組み付けた後に、可動座金部材１６を端子台１１と圧縮コイルバネ１７に組み付けることができ、可動座金部材１６の端子台１１への組付けを簡単に行うことができる。
【０１００】  さらに、取付ネジ１５を締め付けた際に圧縮コイルバネ１７がバネ退避用凹部１１ｂの下方に収容されることとなるので、端子台１１の上部に余計なスペースを省略することができ、端子台１１そのものを小型化できるというメリットもある。
【０１０１】  次に、図６（ａ）〜図６（ｃ）を参照して、計装分野にて用いられる電子機器２０の上部に前述した接続端子部品１０が組み込まれ、その下側に配置される本体筐体２０ａの側面のフック１８にて固定されている状態を説明する。
【０１０２】  まず、図６（ａ）は、電子機器２０が、他の電子機器や外部ケーブルとの電気的な導通を可能とし、複数の電子機器を並列に並べて装着できる、所謂バックプレーン（図示せず）と称される機器から一旦外され、端子カバー１３を順次斜め方向に上昇させて外部端子１４（図１参照）を順次結線していくために一時的に置かれる状態を示している。
【０１０３】  また、他の結線方法としては、電子機器２０をバックプレーンから外すことなく、バックプレーンの取り付けられた状態において上面側に相当する図６（ｂ）で示した連結体１９を反時計方向に回動させて解除状態とし（背面側の連結体１９も同様に解除状態とし）、境界Ｋよりも上側の接続端子部品１０のみを境界Ｋよりも下側の端子台から分離した後、同様に結線を行う方法もある。
【０１０４】  なお、電子機器２０は、いわゆる工業用計測の分野で使用される機器であって、例えば電圧、電流、有効電力、無効電力、皮相電力、力率などの計測や計測値の表示などを可能とする電力用マルチメータや電力用トランスデューサ、各種センサーの計測信号を変換、表示、警報出力などを行う信号変換器、あるいは現場に設置された検出端（測温抵抗体、差圧発信器など）と、中央制御室などに設置された受発信器（指示計、記録計、調節計、ＰＬＣ、ＤＣＳ、コンピュータなど）との間のデータ通信をネットワークや無線により行う計測制御用遠隔入出力機など各種各様の電子機器に適用可能である。
【０１０５】  ここで、接続端子部品１０の下側には本体筐体２０ａが配置され、その内部には上述した各種機能を発揮するための回路基板や電源系統の基板が格納され、その一部の入出力信号や電源系統の入出力等は、図６（ｃ）で示したコネクタ２０ｂを介してバックプレーンの回路と接続される。
【０１０６】  なお、本発明の技術的範囲は、上述した実施の形態に限定されるものでなく、請求項に示した範囲で種々の変形が可能であり、異なる実施の形態にそれぞれ開示された技術的な手段を適宜組み合わせて得られる実施の形態の変形例についても本発明の技術的範囲に含まれるものとする。
【０１０７】  例えば、図６（ａ）において、接続端子部品１０が電子機器２０の上面側（電子機器２０がバックプレーンに装着された状態では前面側に相当）に配置された場合で説明したが、接続端子部品１０が配置される場所は電子機器２０の上面側には限られずその前面側、下面側、背面側、側面側又は内蔵部のいずれであってもよい。
【０１０８】  また、端子設置座１２の設置面に接続される導体である、外部端子の形態は、丸型端子、Ｙ型端子、リード線の芯線等どのような形態の導体でも構わないし、取付ネジ、端子金具、ワッシャなどの導体金具を介してもよい。
【０１０９】  また、外部端子１４は、他の電子機器ではなく同一の接続端子部品１０における他の外部端子１４と直接リード線で接続されても構わない。
【０１１０】  また、端子数については少なくとも複数であればよく、本発明の実施の形態における端子数よりも多くても少なくても構わないし、ＸＺ平面に沿って配列される複数の端子設置座１２やそれに対応するコンタクト１２ｂの縦横のそれぞれの配列数については、本発明の実施の形態の配列形態の合計２４本（８個×３列）に限られず、その本数以上であっても最小合計２本（１列）でも構わない。
【０１１１】  以上のように、本発明にかかる接続端子部品及びその接続端子部品を含む電子機器は、例えば多導体を狭いスペースに効率よく接続するための接続端子部品及びその接続端子部品を含む電子機器として有用である。
【符号の説明】
【０１１２】１０  接続端子部品
１１  端子台
１１ａ  係止用凸部
１１ｂ  バネ退避用凹部
１１ｃ  可撓係止部用凹部
１１ｄ  ガイド部用凹部
１２  端子設置座
１２ａ  ネジ孔
１２ｂ  コンタクト
１３  端子カバー
１３ａ  一対の可撓係止部
１３ａｄ  凹部
１３ａｕ  凹部
１３ｂ  挿入口
１３ｃ  長短一対のガイド部
１４  外部端子
１５  取付ネジ
１６  可動座金部材
１６ａ  座金片部
１６ａｂ  ネジ挿通孔
１６ａｃ  圧接突部
１６ｂ  案内片部
１７  圧縮コイルバネ
１８  フック
１９  連結体
２０  電子機器
２０ａ  本体筐体
２０ｂ  コネクタ
Ｄ  端子の配列方向
Ｓ  スライド方向
Ｈ  設置面の拡がる方向を示す矢印
Ｋ  境界
【図１】
2014235998.tif 000003
【図２】
2014235998.tif 000004
【図３】
2014235998.tif 000005
【図４】
2014235998.tif 000006
【図５】
2014235998.tif 000007
【図６】
2014235998.tif 000008
【図７】
2014235998.tif 000009
【図８】
2014235998.tif 000010